(57)【要約】【課題】音声入力手段の切り替えの際の通話障害の発生を抑制した電話機を提供する。【解決手段】ハンドセットおよびヘッドセットと接続可能な電話機であって、ハンドセットおよびヘッドセットの２つのうち一方と、音声信号を伝送するための第１の配線および基準電位を一致させるための第２の配線が並列に接続され音声信号を増幅する第１のＯＰアンプと、他方と接続され音声信号を増幅する第２のＯＰアンプと、電源と第１のＯＰアンプとの間に設けられ、オン信号を受信すると第１のＯＰアンプに電源電圧を供給し、オフ信号を受信すると第１のＯＰアンプへの電源電圧の供給を停止する第１のスイッチと、電源に接続された第１の抵抗と第１の配線とを接続するための第３の配線にある任意の点の電圧を監視し、電圧が所定の値を超える場合、第１のスイッチにオン信号を送信し、所定の電位を超えない場合、オフ信号を送信する制御部とを有する。【選択図】図１
2008017404.tif 000002
【特許請求の範囲】
【請求項１】
音声を入力するためのマイクロフォンを備えたハンドセットおよびヘッドセットと接続可能な電話機であって、
前記ハンドセットおよび前記ヘッドセットの２つのセットのうち一方のセットと、前記音声の信号である音声信号を伝送するための第１の配線および基準電位を一致させるための第２の配線が並列に接続され、前記音声信号を増幅して出力する第１のＯＰアンプと、
前記２つのセットのうち他方のセットと接続され、前記音声信号を増幅して出力する第２のＯＰアンプと、
電源と前記第１のＯＰアンプとの間に設けられ、オン信号を受信すると前記第１のＯＰアンプに電源電圧を供給し、オフ信号を受信すると該第１のＯＰアンプへの電源電圧の供給を停止する第１のスイッチと、
電源に接続された第１の抵抗と前記第１の配線とを接続するための第３の配線にある任意の点の電圧を監視し、該電圧が所定の値を超える場合、前記第１のスイッチに前記オン信号を送信し、該電圧が所定の値を超えない場合、前記第１のスイッチに前記オフ信号を送信する制御部と、
を有する電話機。
【請求項２】
電源と前記第２のＯＰアンプとの間に、オン信号を受信すると前記第２のＯＰアンプに電源電圧を供給し、オフ信号を受信すると該第２のＯＰアンプへの電源電圧の供給を停止する第２のスイッチが設けられ、
前記制御部は、
前記第３の配線にある任意の点の電圧を監視し、該電圧が所定の値を超える場合、前記第１のスイッチにオン信号を送信し、前記第２のスイッチにオフ信号を送信し、前記電圧が所定の値を超えない場合、前記第１のスイッチにオフ信号を送信し、前記第２のスイッチにオン信号を送信する、請求項１記載の電話機。
【請求項３】
音声を入力するためのマイクロフォンを備えたハンドセットおよびヘッドセットと接続可能な電話機による音声入力切り替え方法であって、
前記ハンドセットおよび前記ヘッドセットの２つのセットのうち一方のセットと前記音声の信号である音声信号を伝送するための第１の配線および基準電圧を一致させるための第２の配線とが並列に接続された第１のＯＰアンプと電源との間に、オン信号を受信すると前記第１のＯＰアンプに電源電圧を供給し、オフ信号を受信すると該第１のＯＰアンプへの電源電圧の供給を停止する第１のスイッチを設け、
電源に接続された第１の抵抗と前記第１の配線とを接続するための第３の配線にある任意の点の電圧を監視し、
前記電圧が所定の値を超える場合、前記第１のスイッチにオン信号を送信し、前記電圧が所定の値を超えない場合、前記第１のスイッチにオフ信号を送信する、音声入力切り替え方法。
【請求項４】
前記２つのセットのうち他方のセットと接続され、前記音声信号を増幅して出力する第２のＯＰアンプと電源との間に、オン信号を受信すると前記第２のＯＰアンプに電源電圧を供給し、オフ信号を受信すると前記第２のＯＰアンプへの電源電圧の供給を停止する第２のスイッチを設け、
前記電圧が所定の値を超える場合、前記第１のスイッチにオン信号を送信し、前記第２のスイッチにオフ信号を送信し、前記電圧が所定の値を超えない場合、前記第１のスイッチにオフ信号を送信し、前記第２の信号にオン信号を送信する、請求項３記載の音声入力切り替え方法。
【発明の詳細な説明】
【技術分野】
【０００１】
本発明は、電話機、および音声入力切り替え方法に関する。
【背景技術】
【０００２】
従来の電話機の受話器には、手に持って通話するためのハンドセットと、電話機を利用する人が両手で他の作業を可能にするためのヘッドセットとがある。ハンドセットおよびヘッドセットには、ハンドセットを持って通話する人の音声を入力するためのマイクロフォンと、電話機本体を介して通話先から受信する信号に応じて音声を出力するスピーカとを有する。なお、ハンドセットは一般的に用いられているため、ここでは、その構成についての詳細な説明を省略する。
【０００３】
ヘッドセットは、ヘアバンドに１つまたは２つのスピーカと１つのマイクロフォンとが装着された構成である。スピーカはヘアバンドの端に固定され、マイクロフォンはヘッドセットとワイヤを介して取り付けられている。ヘッドセットのヘアバンドを人の頭に装着すると、スピーカが１つの場合は片耳に、２つの場合は両耳にそれぞれ位置する。一方、マイクロフォンは音声を伝える場合は口元に、音声を伝えない場合は口元から離れた位置に調節できるようになっている。
【０００４】
ハンドセットおよびヘッドセットのいずれにおいても、マイクロフォンから入力される音声に対応した信号である音声信号を電話機本体に伝達するための入力配線と、通信先から受信した音声信号を電話機本体からスピーカに伝達するための出力配線とが設けられている。そして、入力配線および出力配線と電話機本体とを容易に脱着可能にするためのコネクタとして、モジュラージャックが用いられている。
【０００５】
以下に、ハンドセットおよびヘッドセットのいずれも装着可能な従来の電話機の構成を説明する。ここでは、マイクロフォンから入力される音声信号を通信先に送信するための構成について中心に説明し、通信先からの音声信号をスピーカから出力するまでの構成についての説明は省略する。また、ハンドセットおよびヘッドセットを音声入力手段と総称する。
【０００６】
図５は、従来の電話機の一構成例を示すブロック図である。
【０００７】
図５に示すように、従来の電話機は、ハンドセット２およびヘッドセット３と、ハンドセット２およびヘッドセット３の少なくともいずれかと接続される本体１とを有する。
【０００８】
本体１は、ハンドセット２のマイクロフォンと接続されるＯＰアンプ５と、ヘッドセット３のマイクロフォン部と接続されるＯＰアンプ６と、ＯＰアンプ５およびＯＰアンプ６の少なくともいずれかの信号を増幅するＯＰアンプ９と、ＯＰアンプ５から入力される信号をＯＰアンプ９に出力するか否かを切り替える音声オン／オフスイッチ７と、ＯＰアンプ６から入力される信号をＯＰアンプ９に出力するか否か切り替える音声オン／オフスイッチ８と、ＯＰアンプ９から出力された音声信号をアナログ信号からデジタル信号に変換するＣＯＤＥＣ１５と、ＣＯＤＥＣ１５から入力されるデジタル信号を外部へ出力する動作、ならびに音声オン／オフスイッチ７および音声オン／オフスイッチ８のスイッチ動作を制御する制御部４とを有する。
【０００９】
制御部４は、プログラムにしたがって所定の処理を行うＣＰＵ（Ｃｅｎｔｒａｌ  Ｐｒｏｃｅｓｓｉｎｇ  Ｕｎｉｔ）１３とプログラムを格納するためのプログラム記憶装置１４とを有する。ＣＰＵ１３は、音声オン／オフスイッチ７および音声オン／オフスイッチ８のそれぞれと信号線を介して接続されている。また、ＣＰＵ１３は、ＣＯＤＥＣ１５と配線６１で接続されている。
【００１０】
ハンドセット２が本体１に接続されると、ハンドセット２はＯＰアンプ５の非反転入力端子（＋）と配線５１で接続される。配線５１は抵抗１０を介して電源に接続されている。配線５１を介してハンドセット２に電源から電流が供給される。音声信号が配線５１を介してＯＰアンプ５に入力される。また、ハンドセット２とＯＰアンプ５の反転入力端子（−）とが配線５２で接続される。配線５２は接地線１２に接続されている。
【００１１】
ヘッドセット３が本体１に接続されると、ヘッドセット３はＯＰアンプ６の非反転入力端子とが配線５３で接続される。配線５３は抵抗１１を介して電源に接続されている。配線５３を介してヘッドセット３に電源から電流が供給される。音声信号が配線５３を介してＯＰアンプ６に入力される。また、ヘッドセット３とＯＰアンプ６の反転入力端子とが配線５４で接続される。配線５４は接地線１２に接続されている。
【００１２】
ＯＰアンプ５の出力端子は、音声オン／オフスイッチ７を介してＯＰアンプ９の非反転入力端子に接続されている。ＯＰアンプ５は、ハンドセット２が接続されると、非反転入力端子に接続される信号を増幅して音声オン／オフスイッチ７に出力する。
【００１３】
ＯＰアンプ６の出力端子は、音声オン／オフスイッチ８を介してＯＰアンプ９の非反転入力端子に接続されている。ＯＰアンプ６は、ヘッドセット３が接続されると、非反転入力端子に接続される信号を増幅して音声オン／オフスイッチ８に出力する。
【００１４】
ＯＰアンプ９の反転入力端子は、接地線１２に接続されている。また、ＯＰアンプ９の出力端子は、ＣＯＤＥＣ１５に接続されている。なお、ＯＰアンプ５、ＯＰアンプ６、およびＯＰアンプ９はいずれも正電圧および負電圧を供給する電源に配線を介して接続されている。
【００１５】
音声オン／オフスイッチ７はトランジスタを含む構成であり、ＣＰＵ１３からオン信号を受信すると、オン状態になりＯＰアンプ５から受信する音声信号をＯＰアンプ９に出力する。一方、ＣＰＵ１３からオフ信号を受信すると、オフ状態になりＯＰアンプ９に対し何も出力しない。なお、音声オン／オフスイッチ８の動作も音声オン／オフスイッチ７と同様であるため、その詳細な説明を省略する。
【００１６】
ＣＯＤＥＣ１５は、配線６１でＣＰＵ１３に接続されている。ＣＯＤＥＣ１５は、ＯＰアンプ９から受信する音声信号をアナログ信号からデジタル信号に変換して、変換した信号をＣＰＵ１３に出力する。
【００１７】
また、ハンドセット２およびヘッドセット３のうちいずれかを使用可能にするかを設定するための音声入力設定手段（不図示）が本体１に設けられ、ＣＰＵ１３と信号線（不図示）を介して接続されている。そして、音声入力設定手段は、操作者により入力される指示に対応した入力設定信号をＣＰＵ１３に送信する。
【００１８】
制御部４のＣＰＵ１３は、音声入力設定手段により音声入力手段がハンドセット２に設定されると、音声オン／オフスイッチ７にオン信号を送信し、音声オン／オフスイッチ８にオフ信号を送信する。一方、音声入力手段がヘッドセット３に設定されると、音声オン／オフスイッチ８にオン信号を送信し、音声オン／オフスイッチ７にオフ信号を送信する。また、ＣＯＤＥＣ１５からデジタル信号を受信すると、受信した信号そのものを配線６２で外部に出力する。
【００１９】
次に、図５に示した従来の電話機の動作を簡単に説明する。ここでは、操作者がハンドセット２を利用して通話中にハンドセット２からヘッドセット３に切り替える場合とする。
【００２０】
操作者がハンドセット２を使って通話中にヘッドセット３を本体１に装着すると、ヘッドセット３は、入力される音声に対応した音声信号をＯＰアンプ６の非反転入力端子に出力する。ＯＰアンプ６はヘッドセット３から受信した音声信号を増幅して音声オン／オフスイッチ８に出力する。
【００２１】
また、操作者が音声入力設定手段（不図示）を操作してヘッドセット３を使用可能に設定する旨の指示を入力すると、音声入力設定手段はヘッドセット３に設定する旨の情報を含む入力設定信号をＣＰＵ１３に送信する。ＣＰＵ１３は、ヘッドセット３に設定する旨の情報を含む入力設定信号を受信すると、音声オン／オフスイッチ８にオン信号を送信し、音声オン／オフスイッチ７にオフ信号を送信する。
【００２２】
音声オン／オフスイッチ７はＣＰＵ１３からオフ信号を受信すると、オフ状態になる。音声オン／オフスイッチ８は、ＣＰＵ１３からオン信号を受信すると、ＯＰアンプ６から入力される音声信号をＯＰアンプ９に出力する。ＯＰアンプ９は音声オン／オフスイッチ８から入力される音声信号を増幅してＣＯＤＥＣ１５に出力する。ＣＯＤＥＣ１５はＯＰアンプ９から受信する音声信号をアナログ信号からデジタル信号へ変換し、デジタル信号をＣＰＵ１３に出力する。ＣＰＵ１３は、デジタル信号を受信すると、その信号を外部に出力する。なお、ヘッドセット３からハンドセット２に切り替える場合も同様である。
【００２３】
上述したようにして、ハンドセット２とヘッドセット３との間で音声入力手段を切り替えるとき、音声信号を伝達するための信号伝送路上にスイッチを設けることは、携帯電話機にも応用されている（特許文献１参照）。
【００２４】
音声信号を伝達するための信号伝送路上にスイッチを設けると、オン状態におけるスイッチ自身の電気的抵抗の変化が音声信号の伝達に障害を発生させることがある。この問題に対応するために、信号伝送路のスイッチの後段にＯＰアンプ９を設けている。ＯＰアンプ９の非反転入力端子にスイッチを接続することで、スイッチを通過した後の音声信号が増幅され、増幅された音声信号がＣＯＤＥＣ１５に出力される。これにより、より確実に音声信号を伝達できるようになる。
【特許文献１】特開平９−１１６９６１号公報
【発明の開示】
【発明が解決しようとする課題】
【００２５】
従来の電話機は、信号伝送路上にスイッチだけでなく、スイッチの後段にＯＰアンプが設けられているため、電話機の小型化の妨げになってしまうという問題がある。
【００２６】
また、スイッチのオンおよびオフの状態変化の際にノイズが発生すると、ノイズが通話の障害になるという問題がある。
【００２７】
本発明は、上述したような従来の技術が有する問題点を解決するためになされたものであり、音声入力手段の切り替えの際の通話障害の発生を抑制した電話機、および音声入力切り替え方法を提供することを目的とする。
【課題を解決するための手段】
【００２８】
上記目的を達成するための本発明の電話機は、
音声を入力するためのマイクロフォンを備えたハンドセットおよびヘッドセットと接続可能な電話機であって、
前記ハンドセットおよび前記ヘッドセットの２つのセットのうち一方のセットと、前記音声の信号である音声信号を伝送するための第１の配線および基準電位を一致させるための第２の配線が並列に接続され、前記音声信号を増幅して出力する第１のＯＰアンプと、
前記２つのセットのうち他方のセットと接続され、前記音声信号を増幅して出力する第２のＯＰアンプと、
電源と前記第１のＯＰアンプとの間に設けられ、オン信号を受信すると前記第１のＯＰアンプに電源電圧を供給し、オフ信号を受信すると該第１のＯＰアンプへの電源電圧の供給を停止する第１のスイッチと、
電源に接続された第１の抵抗と前記第１の配線とを接続するための第３の配線にある任意の点の電圧を監視し、該電圧が所定の値を超える場合、前記第１のスイッチに前記オン信号を送信し、該電圧が所定の値を超えない場合、前記第１のスイッチに前記オフ信号を送信する制御部とを有する構成である。
【００２９】
本発明によれば、スイッチが信号伝送路でなく、いずれか一方のセットから入力される音声信号を増幅するＯＰアンプに電源を供給するための電源供給路に設けられており、このスイッチのオンおよびオフを制御することで、他方から一方のセットへ音声入力を切り替えることが可能となる。
【００３０】
また、上記本発明の電話機において、
電源と前記第２のＯＰアンプとの間に、オン信号を受信すると前記第２のＯＰアンプに電源電圧を供給し、オフ信号を受信すると該第２のＯＰアンプへの電源電圧の供給を停止する第２のスイッチが設けられ、
前記制御部は、
前記第３の配線にある任意の点の電圧を監視し、該電圧が所定の値を超える場合、前記第１のスイッチにオン信号を送信し、前記第２のスイッチにオフ信号を送信し、前記電圧が所定の値を超えない場合、前記第１のスイッチにオフ信号を送信し、前記第２のスイッチにオン信号を送信することとしてもよい。
【００３１】
この場合、２つのセットのうち一方のセットに接続されるＯＰアンプだけでなく、他方のセットに接続されるＯＰアンプの電源供給路にもスイッチを設け、いずれか一方のスイッチのみをオンするように制御しているため、ハンドセットまたはヘッドセットのどちらか一方のみに音声入力を切り替えることが可能となる。
【発明の効果】
【００３２】
本発明では、音声信号を伝達するための信号伝送路にスイッチを設けていないため、ハンドセットおよびヘッドセットのうちいずれか一方から他方に切り替える際、ノイズの発生が抑制される。また、従来の電話機と比較して、スイッチが２つから１つに減り、さらに信号伝送路にスイッチを設けた場合に必要となるＯＰアンプが不要であるため、従来よりも電話機を小型化することが可能である。
【発明を実施するための最良の形態】
【００３３】
本発明の電話機は、音声信号を伝達するための信号伝送路にスイッチを設けずに、音声信号を増幅するためのＯＰアンプに電源電圧を供給するか否かのスイッチを設けたことを特徴とする。
【実施例１】
【００３４】
本実施例の電話機の構成を説明する。
【００３５】
図１は、本実施例の電話機の一構成例を示したブロック図である。なお、従来と同様な構成については、同一の符号を付し、その詳細な説明を省略する。
【００３６】
図１に示すように本実施例の電話機は、ハンドセット２およびヘッドセット３と、ハンドセット２およびヘッドセット３が接続可能な本体２１とを有する。
【００３７】
本体２１は、ハンドセット２と接続されるＯＰアンプ５と、ヘッドセット３と接続されるＯＰアンプ６と、ＯＰアンプ６に正電圧を供給するか否か切り替えを行う音声切り替えスイッチ２５と、ＯＰアンプ５またはＯＰアンプ６から入力される音声信号をアナログ信号からデジタル信号に変換するＣＯＤＥＣ１５と、ＣＯＤＥＣ１５から入力されるデジタル信号を外部へ出力する動作および音声切り替えスイッチ２５のスイッチ動作を制御する制御部２２とを有する。
【００３８】
ハンドセット２が本体２１に接続されると、ハンドセット２は従来と同様に、ＯＰアンプ５の非反転入力端子と配線５１で接続され、ＯＰアンプ５の反転入力端子と配線５２で接続される。
【００３９】
ヘッドセット３が本体２１に接続されると、ヘッドセット３とＯＰアンプ６の非反転入力端子とが配線５３で接続される。配線５３は抵抗１１と配線５５で接続されている。抵抗１１は電源に接続されている。電源から抵抗１１、配線５５、および配線５３を介してヘッドセット３に電流が供給される。すると、音声信号が配線５３を介してＯＰアンプ６に入力される。また、ヘッドセット３とＯＰアンプ６の反転入力端子とが配線５４で接続される。配線５４は接地線１２に接続されている。ＯＰアンプ６は、音声切り替えスイッチ２５を介して正電圧を出力する電源に接続されている。負電圧側については配線のみを介して電源に接続されている。
【００４０】
ＯＰアンプ６は、ヘッドセット３が本体２１に接続され、音声切り替えスイッチ２５を介して電源が供給されると、非反転入力端子に入力される信号を増幅してＣＯＤＥＣ１５に出力する。
【００４１】
制御部２２は、プログラムにしたがって所定の処理を行うＣＰＵ２３とプログラムを格納するためのプログラム記憶装置２４とを有する。ＣＰＵ２３は、音声切り替えスイッチ２５と信号線を介して接続されている。また、配線６１でＣＯＤＥＣ１５と接続されている。さらに、配線５５との接続部である接続部５６と配線５７で接続されている。接続部５６の電圧は、ヘッドセット３が接続される前後で変動する。
【００４２】
音声切り替えスイッチ２５はトランジスタを含む構成であり、ＣＰＵ２３からオン信号を受信すると、オン状態となり、ＯＰアンプ６に電源からの正電圧を供給する。一方、ＣＰＵ２３からオフ信号を受信すると、オフ状態となり、ＯＰアンプ６に対し正電圧の供給を停止する。
【００４３】
なお、音声切り替えスイッチ２５は、ＯＰアンプ６の負電圧を供給する電源側に接続されてもよい。この場合、正電圧側に接続されているときと同じく、音声切り替えスイッチ２５はＣＰＵ２３からスイッチ動作の信号を受信すると、信号に対応してＯＰアンプ６に対する電源からの負電圧を供給または停止する。
【００４４】
ＣＯＤＥＣ１５は、ＯＰアンプ５またはＯＰアンプ６から受信する音声信号をアナログ信号からデジタル信号に変換して、変換した信号をＣＰＵ２３に出力する。
【００４５】
制御部２２のＣＰＵ２３は、ヘッドセット３が本体２１に接続されて接続部５６の電圧が所定の値を超えたことを検知すると、音声切り替えスイッチ２５にオン信号を送信する。
【００４６】
反対にヘッドセット３が本体２１から取り外されて、接続部５６の電圧が所定の値を超えないと、ＣＰＵ２３は音声切り替えスイッチ２５にオフ信号を送信する。また、ＣＯＤＥＣ１５からデジタル信号を受信すると、受信した信号そのものを配線６２で外部に出力する。なお、上記所定の値はヘッドセット３が接続されたか否かを判定するための基準電圧であり、この値は予めプログラムに記述されている。
【００４７】
次に、本実施例の電話機の動作について説明する。ここでは、操作者がヘッドセットを利用して通話する場合とする。
【００４８】
図２は、本実施例の電話機の動作手順を示すフローチャートである。
【００４９】
本体２１は、モジュラージャックによるヘッドセット３の接続を受け付けると、抵抗１１を介して電源からヘッドセット３に電流を供給する（ステップ１０１）。ヘッドセット３が接続されると、接続部５６の電圧が変動する。このときＣＰＵ２３は、配線５７を介して接続部５６の電圧の変動を検知する（ステップ１０２）。
【００５０】
ＣＰＵ２３は、接続部５６の電圧が所定の値を超えたことを検知すると、音声切り替えスイッチ２５に対しオン信号を送信する（ステップ１０３）。音声切り替えスイッチ２５は、ＣＰＵ２３からオン信号を受信するとオン状態となり、ＯＰアンプ６に電源電圧を印加する（ステップ１０４）。ＯＰアンプ６は、電源の供給を受けるとオン状態となる（ステップ１０５）。
【００５１】
ＯＰアンプ６がオンすると、ＯＰアンプ６はヘッドセット３から入力される音声信号を増幅してＣＯＤＥＣ１５に出力する（ステップ１０６）。ＣＯＤＥＣ１５は、ＯＰアンプ６から受信する音声信号をアナログ信号からデジタル信号に変換し、デジタル信号をＣＰＵ２３に出力する（ステップ１０７）。ＣＰＵ２３がデジタル信号を外部に出力することで、ヘッドセット３での通話が可能となる。
【００５２】
なお、本実施例では、ヘッドセット３の接続状況を監視して音声切り替えスイッチ２５のオンおよびオフの制御を行っているが、音声切り替えスイッチをＯＰアンプ５の電源供給路に設け、ハンドセット２の接続状況を監視してスイッチの制御を行うようにしてもよい。
【００５３】
本実施例の電話機は、上述したように、スイッチを信号伝送路でなく、音声を切り替える方の音声入力手段と接続されるＯＰアンプの電源供給路に設けている。
【００５４】
信号伝送路に音声信号をオンまたはオフするスイッチを設けていないため、音声入力手段切り替えの際にノイズの発生が抑制される。また、スイッチを介して伝送される音声信号を増幅するためのＯＰアンプを設ける必要がなく、音声オン／オフスイッチ７，８の代わりに音声切り替えスイッチ２５を設けているだけなので、従来よりも電話機を小型化することが可能となる。
【実施例２】
【００５５】
本実施例は、実施例１で説明した音声切り替えスイッチをＯＰアンプ５にも設けたものである。
【００５６】
本実施例の電話機の構成を説明する。
【００５７】
図３は、本実施例の電話機の一構成例を示したブロック図である。なお、実施例１と同様な構成については、同一の符号を付し、詳細な説明は省略する。
【００５８】
図３に示すように本実施例の電話機は、ハンドセット２およびヘッドセット３と、ハンドセット２およびヘッドセット３の少なくともいずれかと接続される本体３１とを有する。
【００５９】
本体３１は、ハンドセット２と接続されるＯＰアンプ５と、ヘッドセット３と接続されるＯＰアンプ６と、ＯＰアンプ５に正電圧を供給するか否か切り替えを行う音声切り替えスイッチ３５と、ＯＰアンプ６に正電圧を供給するか否か切り替えを行う音声切り替えスイッチ２５と、ＯＰアンプ５およびＯＰアンプ６の少なくともいずれかから出力される音声信号をアナログ信号からデジタル信号に変換するＣＯＤＥＣ１５と、ＣＯＤＥＣ１５から入力されるデジタル信号を外部へ出力する動作、ならびに音声切り替えスイッチ２５および音声切り替えスイッチ３５のスイッチ動作を制御する制御部３２とを有する。
【００６０】
ＯＰアンプ５は、音声切り替えスイッチ３５を介して正電圧を供給する電源に接続されている。負電圧側については配線のみを介して電源に接続されている。
【００６１】
ＯＰアンプ５は、ハンドセット２が本体３１に接続され、音声切り替えスイッチ３５を介して電源が供給されると、非反転入力端子に接続されている信号を増幅してＣＯＤＥＣ１５に出力する。
【００６２】
ＯＰアンプ６は、ヘッドセット３が接続され、電源が供給されると、非反転入力端子に接続されている信号を増幅してＣＯＤＥＣ１５に出力する。
【００６３】
制御部３２は、プログラムにしたがって所定の処理を行うＣＰＵ３３とプログラムを格納するためのプログラム記憶装置３４とを有する。ＣＰＵ３３は、音声切り替えスイッチ２５および音声切り替えスイッチ３５のそれぞれと信号線を介して接続されている。また、配線６１でＣＯＤＥＣ１５に接続されている。さらに、接続部５６と配線５７で接続されている。接続部５６の電圧は、ヘッドセット３が接続される前後で変動する。
【００６４】
音声切り替えスイッチ３５は、実施例１の音声切り替えスイッチ２５と同様な構成なため、ここではその説明を省略する。
【００６５】
ＣＯＤＥＣ１５は、実施例１で説明したため、ここではその説明を省略する。
【００６６】
制御部３２のＣＰＵ３３は、ヘッドセット３が本体３１に接続され、接続部５６の電圧が所定の値を超えたことを検知すると、音声切り替えスイッチ２５にオン信号を送信し、音声切り替えスイッチ３５にオフ信号を送信する。反対にヘッドセット３が本体２１から取り外されて、接続部５６の電圧が所定の値を超えないと、ＣＰＵ３３は音声切り替えスイッチ２５にオフ信号を送信し、音声切り替えスイッチ３５にオン信号を送信する。また、ＣＯＤＥＣ１５からデジタル信号を受信すると、受信した信号そのものを配線６２で外部に出力する。
【００６７】
次に、本実施例の電話機の動作について説明する。ここでは、操作者がハンドセットからヘッドセットへ通話手段を切り替える場合とする。
【００６８】
図４は、本実施例の電話機の動作手順を示すフローチャートである。
【００６９】
本体３１は、モジュラージャックによるヘッドセット３の接続を受け付けると、抵抗１１を介して電源からヘッドセット３に電流を供給する（ステップ２０１）。ヘッドセット３が接続されると、接続部５６の電圧が変動する。このときＣＰＵ３３は、配線５７を介して接続部５６の電圧の変動を検知する（ステップ２０２）。
【００７０】
ＣＰＵ３３は、接続部５６の電圧が所定の値を超えたことを検知すると、音声切り替えスイッチ２５にオン信号を送信し（ステップ２０３）、音声切り替えスイッチ３５にオフ信号を送信する（ステップ２０４）。
【００７１】
音声切り替えスイッチ２５は、ＣＰＵ２３からオン信号を受信するとオン状態となり、ＯＰアンプ６に電源電圧を印加する（ステップ２０５）。ＯＰアンプ６は、電源の供給を受けるとオン状態となる（ステップ２０６）。
【００７２】
ＯＰアンプ６がオンすると、ＯＰアンプ６はヘッドセット３から入力される音声信号を増幅してＣＯＤＥＣ１５に出力する（ステップ２０７）。ＣＯＤＥＣ１５は、ＯＰアンプ６から受信する音声信号をアナログ信号からデジタル信号に変換し、ＣＰＵ２３に出力する（ステップ２０８）。ＣＰＵ２３がデジタル信号を外部に出力することで、ヘッドセット３による音声通話が可能となる。
【００７３】
なお、本実施例では、ヘッドセット３の接続状況を監視して２つの音声切り替えスイッチの制御を行っているが、ハンドセット２の接続状況を監視してこれら２つのスイッチの制御を行うようにしてもよい。
【００７４】
本実施例の電話機は、上述したように、スイッチをヘッドセットと接続されるＯＰアンの電源供給路だけでなく、ハンドセットと接続されるＯＰアンプの電源供給路にも設けて、ハンドセットまたはヘッドセットのどちらか一方のみに音声入力を切り替えている。使用中の音声入力手段から入力される音声信号のみを受け付けるため、使用していない方の音声入力手段から不測の音声入力があっても、通話障害を発生させないようにすることが可能である。
【００７５】
また、信号伝送路に音声信号をオンまたはオフするスイッチを設けていないため、音声入力手段切り替えの際にノイズの発生が抑制される。さらに、スイッチを介して伝送される音声信号を増幅するためのＯＰアンプを設ける必要がないため、従来よりも電話機を小型化することが可能となる。
【図面の簡単な説明】
【００７６】
【図１】本実施例１の電話機の一構成例を示すブロック図である。
【図２】本実施例１の電話機の動作手順を示すフローチャートである。
【図３】本実施例２の電話機の一構成例を示すブロック図である。
【図４】本実施例２の電話機の動作手順を示すフローチャートである。
【図５】従来の電話機の一構成例を示すブロック図である。
【符号の説明】
【００７７】
１、２１、３１    電話機本体
２                ハンドセット
３                ヘッドセット
４、２２、３２    制御部
５、６、９        ＯＰアンプ
７、８            音声オン／オフスイッチ
１０、１１        抵抗
１２              接地線
２５、３５        音声切り替えスイッチ
【図１】
2008017404.tif 000003
【図２】
2008017404.tif 000004
【図３】
2008017404.tif 000005
【図４】
2008017404.tif 000006
【図５】
2008017404.tif 000007